【事件の表示】
　特願２００３−３６２２３０「無線ＬＡＮシステム，通信端末，無線アクセスポイントおよびプログラム」拒絶査定不服審判事件〔平成１７年　５月１９日出願公開、特開２００５−１３０１２４〕について、次のとおり審決する。
【結　論】
　本件審判の請求は、成り立たない。
【理　由】
１．手続の経緯
　本願は、平成１５年１０月２２日の出願であって、平成１９年９月２１日付けで拒絶査定がなされ、これに対し、平成１９年１１月１日に拒絶査定に対する審判請求がなされ、当審において平成２１年１０月２７日付けで拒絶理由通知がなされ、平成２２年１月１２日付けで手続補正がなされたものである。
　
２．本願発明
　本願の請求項２９に係る発明（以下、「本願発明」という。）は、平成２２年１月１２日付け手続補正書の特許請求の範囲の請求項２９に記載された以下のとおりのものと認める。
　「複数の無線ＬＡＮ規格のいずれかおよび複数のチャネルのうちいずれかが規定する第１通信手順および複数の無線ＬＡＮ規格のいずれかおよび複数のチャネルのうちいずれかが規定する第２通信手順それぞれによってデータを複数の無線ステーションへ無線送信し、かつ、無線受信する無線アクセスポイントであって、
　第１データを、前記第１通信手順で無線送信し、かつ、無線受信するためのＳＳＩＤを記憶するアクセスポイント側記憶手段と、
　前記アクセスポイント側記憶手段に記憶されるＳＳＩＤを用いて、前記複数の無線ステーションとの間で、第１データを第１通信手順で無線送信し、かつ、無線受信するアクセスポイント側送受信手段と、
　前記無線ステーションから送信される第２データを第２通信手順で受信する広告受信手段と、
　該広告受信手段により第２データが受信されたことを条件として、ＳＳＩＤの内容を通知するための第３データを、第２通信手順で送信する通知送信手段と、
　前記アクセスポイント側送受信手段による第１データの無線送信および無線受信を実行するノーマルモードと、前記広告受信手段による第２データの受信および前記通知送信手段による第３データの送信を実行するサポートモードとのいずれかを選択するアクセスポイント側選択手段と、
　該アクセスポイント側選択手段により選択されたモードがノーマルモードであれば、前記アクセスポイント側送受信手段を制御し、サポートモードであれば、前記広告受信手段および前記通知送信手段とを制御するアクセスポイント側制御手段と、を備え、
　該無線アクセスポイントのモードが前記サポートモードであることを条件として、前記広告受信手段により第２通信手順で第２データが受信され、かつ、前記通知送信手段による第３データの送信が行われるように構成されている
　ことを特徴とする無線アクセスポイント。」
　
３．引用例発明
　当審で通知した拒絶理由に引用された「無線ＬＡＮのここが危ない！第１部、日経Ｉｎｔｅｒｎｅｔ　Ｓｏｌｕｔｉｏｎｓ、日経ＢＰ社、２００２年１０月２２日発行、第６４号、７６−８１頁」（以下、「引用例１」という。）には、図面とともに以下の記載がある。
　
イ．「広がる電波が危険をもたらす
　無線ＬＡＮの何が危険なのか−−。
問題は大きく分けて２つある。１つは，企業の内部ネットワークや無線ＬＡＮに接続しているパソコンに対して，第三者による不正アクセスが容易なこと。もう１つは，無線部分のデータを第三者が盗聴できてしまう危険が大きいことである。
　根本的な原因は，無線ＬＡＮで利用する電波の特性にある。電波は，特に指向性を持たせない限り放射状に伝搬する。壁などの障害物があっても，電波は反射したり，通過したりして，広範囲に行きわたる。このため，電波さえ受信できればアクセス・ポイントが直接見えない場所でも通信できる。
　しかし，セキュリティ面では，この特性があだになる。社内や家庭内で利用している無線ＬＡＮの電波は屋外にまで届いてしまうからだ。８０２．１１準拠の無線ＬＡＮカードを装備したパソコンがあれば，屋内に入ることなく容易に電波を傍受できる（図２）。
　無線ＬＡＮのアクセス・ポイントは，無線ＬＡＮクライアントに対して，ＥＳＳ−ＩＤ（拡張サービス・セット識別子）というデータを定期的にブロードキャストし，存在をクライアントに通知するようになっている（ビーコンと呼ぶ）。また，クライアントからプローブという問い合わせパケットをブロードキャストし，近隣のアクセス・ポイントのＥＳＳ−ＩＤを収集するという仕組みもある。多くの無線ＬＡＮ製品のクライアントは，収集したＥＳＳ−ＩＤを一覧表示できる。このため，部外者にもアクセス・ポイントの存在が見える。
　クライアントとアクセス・ポイントは，ＥＳＳ−ＩＤが一致しないと接続できない。これは一種のアクセス制御のように見える。しかし実質上，ＥＳＳ−ＩＤ ではアクセス制御は実現できない。例えば，ＥＳＳ−ＩＤをデフォルト値のまま使っているユーザーは少なくない。これでは，同じメーカーのクライアント・ソフトをデフォルトのＥＳＳ−ＩＤのまま使っているユーザーなら，部外者でもアクセス・ポイントに接続できてしまう。
　ＥＳＳ−ＩＤをデフォルト値以外に設定しても，効果はあまり期待できない。アクセス・ポイントのリストが一覧表示されるだけに，クライアントのＥＳＳ−ＩＤをリストにあるのと同じＩＤに書き換えることは容易。こうなると，アクセス・ポイントでは接続を拒否できない。製品によっては，クライアント用のユーティリティ・ソフトが，アクセス・ポイント選択時に，自動的にクライアントのＥＳＳ−ＩＤを書き換えて接続してしまうものもある。リスト中の任意のアクセス・ポイントへの接続を可能にする「ＡＮＹ」というＥＳＳ−ＩＤを設定しているのとほぼ同じ状態である。」（７６頁右欄〜７８頁左欄）
　
ロ．「◆８０２．１１ 
ＩＥＥＥ（米国電気電子技術者協会）８０２．１１委員会で標準化している無線ＬＡＮ技術。伝送速度などの違いにより，８０２．１１ａ，８０２．１１ｂなどがある。
◆ＥＳＳ−ＩＤ 
Ｅｘｔｅｎｄｅｄ Ｓｅｒｖｉｃｅ Ｓｅｔ ＩＤの略。無線ＬＡＮ機器同士が通信する際に、共通して持っているＩＤ。異なるＥＳＳ−ＩＤ同士では通信できない。ＩＥＥＥ８０２．１１で規定されいる。
◆ビーコン
無線ＬＡＮで、アクセス・ポイントが常時発している信号のこと。クライアントがアクセス・ポイントを見つけやすいよう，ＥＳＳ−ｌＤやＭＡＣアドレスなどをビーコンに格納し、ブロードキャストする。」（７７頁頭注）
　
ハ．「アクセス・ポイントの存在を隠す
　まず，不正アクセスの防御について考えよう。
　ユーザーが実施すべきことはいくつかある。初歩的なところでは， ＥＳＳ−ＩＤ をデフォルト値から変更しておくこと。こうすれば，デフォルト設定のままのクライアントからは接続できない。製品によっては，ＡＮＹ設定のクライアントからの接続を拒否するようにアクセス・ポイントに設定できる。
　前述したように， クライアントのＥＳＳ−ＩＤをビーコンやプローブで取得した値に設定されると，接続は拒否できない。そこで効果的なのが，アクセス・ポイントの存在を隠す方法。たとえばビーコンにＥＳＳ−ＩＤを載せない設定にすれば， クライアントにアクセス・ポイントが見えなくなる（図４）。プロキシムの「ＯＲｉＮＯＣＯ」やメルコの「ＡｉｒＳｔａｔｉｏｎ」といった製品がこうした機能を備えている（ｐ．８０の表１）。
　ただ， ビーコンのＥＳＳ−ＩＤを隠すだけでは不十分。クライアントが，アクセス・ポイントを探し出すプローブ要求の機能を備えているからだ。通常，アクセス・ポイントはプローブを受け取ると，自分のＭＡＣアドレスとＥＳＳ−ＩＤを返すようになっている。これでは，ビーコンによるＥＳＳ−ＩＤ通知を止めるように設定しておいても，アクセス・ポイントの存在がわかってしまう。プローブ要求機能は無線ＬＡＮクライアントのほかに，アクセス・ポイント探査ツールの「Ｎｅｔｗｏｒｋ Ｓｔｕｍｂｌｅｒ」や米エアマグネットの「ＡｉｒＭａｇｎｅｔ Ｈａｎｄ−ｈｅ１ｄ」などのツールにも搭載されている（写真１）。」（７９頁中央欄〜８０頁左欄）
　
　引用例１の図２から明らかなように、無線ＬＡＮのアクセス・ポイントは、データを複数のクライアントへ無線送信し、かつ、無線受信するものである。
　引用例１のロ．には、無線ＬＡＮには、８０２．１１ａ、８０２．１１ｂ等の複数の規格があることが記載されており、各規格の無線ＬＡＮには複数のチャネルがあることは当業者の技術常識である。
　クライアントとアクセス・ポイントは、無線ＬＡＮ規格に規定される手順により接続した後に、無線ＬＡＮ規格に規定される手順によりデータ通信を行うことは、技術常識であるから、接続するための通信手順を「第２通信手順」と呼び、接続した後のデータ通信を行う手順を「第１通信手順」と呼び、「第１通信手順」でデータ通信されるデータを「第１データ」と呼ぶことにする。
　アクセス・ポイントとクライアントには、ＥＳＳ−ＩＤが設定されるわけであるから、アクセスポイントが、設定されたＥＳＳ−ＩＤを記憶する記憶手段を備えることは、技術的に自明の事項である。
　アクセス・ポイントは、設定されたＥＳＳ−ＩＤを用いて複数のクライアントとの間で無線によるデータ通信を行うものであることは当然であるから、記憶手段に記憶されるＥＳＳ−ＩＤを用いて、複数のクライアントとの間で、第１データを第１通信手順で無線送信し、かつ、無線受信する送受信手段を備えるものであるといえる。
　引用例１のイ．には、「また，クライアントからプローブという問い合わせパケットをブロードキャストし，近隣のアクセス・ポイントのＥＳＳ−ＩＤを収集するという仕組みもある。」と記載されており、ハ．には、「クライアントが，アクセス・ポイントを探し出すプローブ要求の機能を備えているからだ。通常，アクセス・ポイントはプローブを受け取ると，自分のＭＡＣアドレスとＥＳＳ−ＩＤを返すようになっている。」と記載されている。
　この記載からすると、アクセス・ポイントは、クライアントから送信されるプローブを受信したときに、ＭＡＣアドレスとＥＳＳ−ＩＤを送信するものであるから、クライアントから送信されるプローブを第２通信手順で受信するプローブ受信手段と、該受信手段によりプローブが受信されると、ＥＳＳ−ＩＤを含む返信を、第２通信手順で送信する返信手段を備えているといえる。
　
　したがって、引用例１には、技術常識を考慮すると、
　「複数の無線ＬＡＮ規格のいずれかおよび複数のチャネルのうちいずれかが規定する第１通信手順および複数の無線ＬＡＮ規格のいずれかおよび複数のチャネルのうちいずれかが規定する第２通信手順それぞれによってデータを複数のクライアントへ無線送信し、かつ、無線受信するアクセス・ポイントであって、
　第１データを、前記第１通信手順で無線送信し、かつ、無線受信するためのＥＳＳ−ＩＤを記憶する記憶手段と、
　前記記憶手段に記憶されるＥＳＳ−ＩＤを用いて、前記複数のクライアントとの間で、第１データを第１通信手順で無線送信し、かつ、無線受信する送受信手段と、
　前記クライアントから送信されるプローブを第２通信手順で受信するプローブ受信手段と、
　該プローブ受信手段によりプローブが受信されると、ＥＳＳ−ＩＤを含む返信を、第２通信手順で送信する返信手段と、
を備えるアクセス・ポイント。」
　との発明（以下、「引用例１発明」という。）が開示されていると認めることができる。
　
　また、当審で通知した拒絶理由に引用された、平成１５年８月２２日に頒布された特開２００３−２３３４４９号公報（以下、「引用例２」という。）には、図面とともに以下の記載がある。
　
ニ．「【０００１】
【産業上の利用分野】本発明はパーソナルコンピュータ、電子計算機を含む情報処理装置のワイヤレス入力システムに関する。特に、本発明は、ＩＤ（識別）と通信チャンネルを同時に実施する情報処理装置のワイヤレス入力システム及びそのＩＤ情報設定方法に関する。
【０００２】
【従来の技術】従来技術の情報処理装置のワイヤレス入力システムとして、特開２００１−１０９５６４号公報にワイヤレスキーボードＩＤ登録方法が開示されている。以下にこのワイヤレスキーボードＩＤ登録方法について説明を行う。図８はワイヤレスキーボードＩＤ登録方法を説明する概略構成を示すブロック図である。
【０００３】本図に示すように、ワイヤレスキーボード７１０のあらかじめ定めた複数の特定のキーを押下すると、ワイヤレスキーボード７１０が固有のＩＤ番号を無線電波で送信し、受信機７１２がＩＤ番号を受信しパソコン７１４がＩＤ番号を入力する。これにより、パソコン７１４に接続されている受信機７１２と、ワイヤレスキーボード７１０との一対一の対応関係が設定される。
【０００４】さらに、従来技術の情報処理装置のワイヤレスシステムとして、特開平５−２０４５２０号公報に電子計算機への無線キーボード接続方式が開示されている。以下にこの電子計算機への無線キーボード接続方式について説明を行う。図９は電子計算機への無線キーボード接続方式を説明する概略構成を示すブロック図である。
【０００５】本図に示すように、キー入力に対し、キーボード８０１のエコーバック表示制御機構８１２がエコーバック用ディスプレイに入力文字を表示後、無線信号発信機構８１３に入力文字コードを渡す。無線信号発信機構８１３は無線通信手段８０３を使用して無線信号変換機構８２１に対し、キー入力又は電源オン・オフの指示電文を送る。
【０００６】ＣＰＵ８０２の無線信号変換機構８２１は送られる電文を解析し、電文に含まれるキーボードＩＤがあらかじめ登録されている値と一致するときは電文をキーボード入力信号又は電源オン・オフ指示信号に変換し、所定の動作を指示する。」（３頁４欄）
　
ホ．「【０００８】したがって、本発明は上記問題点に鑑みて、複数の情報処理装置におけるワイヤレス入力システムにおいて、混信、入力情報の漏洩を防止し、且つ通信チャンネルの設定、ＩＤ登録の操作を容易にする情報処理装置のワイヤレス入力システム及びその設定方法を提供することを目的とする。」（４頁５欄）
　
ヘ．「【００２５】
【発明の実施の形態】以下、本発明の実施の形態について図面を参照して説明する。図１は本発明に係る情報処理装置のワイヤレス入力システムであって第１の実施例の概略構成を示すブロック図である。なお、全図を通して同一の構成要素には同一の番号、符号を付して説明を行う。
【００２６】パーソナルコンピュータ、電子計算機等の情報処理装置のワイヤレス入力システム１００は、本図に示すように、情報処理装置本体１０１、情報処理装置本体１０１に接続される受信器１１０、及び、受信器１１０へ電波を送信する入力装置１２０から構成される。受信器１１０は情報処理装置本体１０１に接続され、情報処理装置本体１０１に内蔵され、又は情報処理装置本体１０１若しくは情報処理装置１００の表示装置に内蔵される。
【００２７】情報処理装置本体１０１には表示部１０２が設けられ、表示部１０２は、例えば、ＬＥＤ（液晶表示）から構成され、情報処理装置本体１０１の状態を表示する。入力装置１２０は、代表的には、キーボード、マウス、リモコン、ジョイスティック等から構成される。
【００２８】入力装置１２０から受信器１１０に対して、ワイヤレスの無線で、情報処理装置本体１０１を操作するための入力データが送信される。より詳細には、入力装置１２０には送信部１２１が設けられ、送信部１２１は、電波を送信する送信アンテナ１２４を介して、所定の通信チャンネルで情報処理装置本体１０１に入力される情報を送信出力する。
【００２９】入力装置１２０にはチャンネル設定ボタン１１９が設けられ、チャンネル設定ボタン１１９は、所定の通信チャンネルを送信部１２１に設定し、又は設定・維持するために、使用される。チャンネル設定ボタン１１９を調整することにより、通信チャンネルを変更することが可能である。
【００３０】さらに、入力装置１２０にはＩＤ（識別）送信ボタン１１８が設けられ、ＩＤ送信ボタン１１８は、チャンネル設定ボタン１１９により設定されている通信チャンネルで、ＩＤ送信ボタン１１８が一定時間ＯＮにされている間、又はＯＮにされている間、受信器１１０にＩＤ情報を送信するために使用される。
【００３１】さらに、入力装置１２０には入力装置設定記憶部１２２が設けられ、入力装置設定記憶部１２２は、例えば、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）、ＦｌａｓｈＲＯＭ等の書き換え可能なＲＯＭ、バックアップ電池等で内容を維持できるメモリで構成され、情報処理装置本体１０１と入力装置１２０とを１対１に対応させるためのＩＤ情報等の設定情報を予め保持する。
【００３２】ＩＤ送信ボタン１１８、チャンネル設定ボタン１１９、送信部１２１及び入力装置設定記憶部１２２には入力装置マイクロコンピュータ１２３が接続され、入力装置マイクロコンピュータ１２６は、ＩＤ送信ボタン１２５がＯＮにされたらチャンネル設定ボタン１２４から入力される通信チャンネルを送信部１２２に設定し、入力装置設定記憶部１２３からＩＤ情報を読み出して送信部１２２にＩＤ情報、通信チャンネル情報を送信させる。
【００３３】ここで、ＩＤ情報と共に通信チャンネル情報を送信する理由は、後述するＩＤ情報登録後の通信時に、受信器１１０で合致しない通信チャンネルでＩＤ情報を受信できる場合があるのでこれを排除するためであり、さらに、送信している通信チャンネルと受信している通信チャンネルの同期をさせるために必要となるからである。
【００３４】なお、チャンネル設定ボタン１１９、ＩＤ送信ボタン１１８は、入力装置１２０のスイッチ、スイッチの押下の組み合わせ、又は一連の操作によって実現してもよい。次に、受信器１１０にはＩＤ登録ボタン１１３が設けられ、ＩＤ登録ボタン１１３は、一定の時間の間だけ、情報処理装置本体１０１と入力装置１２０とを１対１に対応させるＩＤ情報を受信可能にするモードに受信器１１０を遷移させるために、使用される。
【００３５】受信器１１０には受信部１１６が設けられ、受信部１１６は、入力装置１２０の送信アンテナ１２４からの電波を受信する受信アンテナ１１１を介して、ＩＤ情報、通信チャンネル情報を受信する。受信器１１０には受信器設定記憶部１１５が設けられ、受信器設定記憶部１１５は、例えば、ＥＥＰＲＯＭ、ＦｌａｓｈＲＯＭ等の書き換え可能なＲＯＭ、バックアップ電池等で内容を維持できるメモリで構成され、入力装置１２０から送信されるＩＤ情報、通信チャンネル情報を登録する。
【００３６】ＩＤ登録ボタン１１３、受信器設定記憶部１１５及び受信部１１６には受信器マイクロコンピュータ１１５が接続され、受信器マイクロコンピュータ１１５は、ＩＤ登録ボタン１１３を押してから一定時間の間、受信部１１６に順々に通信チャンネル（ｃｈ０、ｃｈ１、…、ｃｈｎ）を設定し、どの通信チャンネルでＩＤ情報、通信チャンネル情報を受信できるかを判断し、受信したＩＤ情報、通信チャンネル情報を受信器設定記憶部１１５に登録させる。
【００３７】受信器マイクロコンピュータ１１４には表示部１１７が接続され、表示部１１７は、例えば、ＬＥＤで構成され、受信器１１０及び入力装置１２０の状態を表示する。オペレータに情報を提供するためである。なお、ＩＤ登録ボタン１１４は物理的なスイッチの他、情報処理装置本体１０１から入力される信号としてもよい。
【００３８】また、表示部１１７は、ＬＥＤ、モニタ等で構成できる他の情報処理装置本体１０１に表示情報を入力するようにしてもよい。したがって、本発明によれば、受信器１１０には通信チャンネルを設定するボタンが無く、入力装置１２０だけに通信チャンネルを設定するチャンネル設定ボタン１１９が設けられ、且つ入力装置１２０のＩＤ送信ボタン１１８を押下したときに、入力装置１２０からチャンネル設定ボタン１１９で設定された通信チャンネルでＩＤ情報が送信される。さらに、受信器１１０の通信チャンネルを一定時間の間に変化させてＩＤ情報を受信することにより、受信器１１０の通信チャンネルを入力装置１２０の通信チャンネルに合わせることができるので、情報処理装置のワイヤレス入力システムの設定を簡単化できる。
【００３９】図２は図１における情報処理装置のワイヤレス入力システムの動作例を説明するフローチャートを示す図である。ステップＳ２０１において、最初に、入力装置１２０のチャンネル設定ボタン１１９で所定の通信チャンネルを設定する。ステップＳ２０２において、入力装置１２０では、チャンネル設定ボタン１１９で設定された所定の通信チャンネルで送信できるように、送信部１２１の設定を行う。
【００４０】ステップＳ２０３において、受信器１１０のＩＤ登録ボタン１１３の押下操作で、押下した時点から一定時間の間、ＩＤ情報登録可能モードとなる。この一定時間は、後述するステップＳ２０６によって設定されるループカウンタを使って実現する。受信器マイクロコンピュータ１１４は、表示部１１７にＩＤ情報登録可能であるという指示を行う。表示部１１７はＩＤ情報登録可能モードであるという表示を行う。
【００４１】ステップＳ２０４において、入力装置１２０の操作で、ＩＤ送信ボタン１１８が押下される。ステップＳ２０５において、入力装置１２０の入力装置マイクロコンピュータ１２３は、入力装置設定記憶部１２２からＩＤ情報を読み出し、送信部１２１にＩＤ情報と通信チャンネル情報を入力させ、入力したＩＤ情報、通信チャンネル情報の送信を開始させる。
【００４２】ステップＳ２０６、ステップＳ２０７において、受信器１１０の受信器マイクロコンピュータ１１４は、ループカウンタをセットし、受信部１１６の通信チャンネルをチャンネル（ｃｈ）０に設定する。ステップＳ２０８において、受信器マイクロコンピュータ１１４は、入力装置１２０から最低１回分のＩＤ情報と通信チャンネル情報を受信可能とする時間だけ、受信部１１６を受信可能な状態のままにする。受信部１１６がＩＤ情報と通信チャンネル情報が受信でき、且つ、受信した通信チャンネル情報が受信した通信チャンネルと合致した場合には、ステップＳ２１４に進む。上述の受信可能な状態のときに、待ち時間が過ぎたらステップＳ２０９に進む。
【００４３】ステップＳ２０９において、受信器マイクロコンピュータ１１４は、通信チャンネルを次のチャンネル（ｃｈ）１に変更し、受信部１１６に通信チャンネルを設定する。ステップＳ２１０において、次の通信チャンネルを設定する際に、既にチャンネルの設定が一巡していなければ、ステップＳ２０８に戻り、一巡していることが判明したら、ステップＳ２１１に進む。
【００４４】ステップＳ２１１において、受信器マイクロコンピュータ１１４は、ループカウンタをデクリメントすることにより、一定回数分の通信チャンネルの切り替え及びＩＤ情報と通信チャンネル情報の受信動作を繰り返したかを確認する。もし、一定回数分繰り返されていなければ、ステップＳ２０８に戻り、一定回数繰り返されていれば、ステップＳ２１２に進む。
【００４５】ステップＳ２１２において、ＩＤ情報と通信チャンネル情報の受信に失敗した場合には、受信器マイクロコンピュータ１１４は受信器設定記憶部１１５から既に登録されている通信チャンネル情報を取り出し、受信部１１６に設定する。それから、受信器マイクロコンピュータ１１４は表示部１１７にＩＤ情報と通信チャンネル情報の受信のエラーを表示するという指示をし、表示部１１７はＩＤ情報と通信チャンネル情報の受信のエラーを表示する。
【００４６】ステップＳ２１３において、入力装置１２０の操作によって、ＩＤ送信ボタン１１８が離されたら、ＩＤ情報と通信チャンネル情報の送信は停止され、処理を終了する。ステップＳ２１４において、受信器１１０ではＩＤ登録ボタン１１３の押下後一定時間後に、又は、ＩＤ情報、通信チャンネル情報登録後にＩＤ情報登録不可モードになる。
【００４７】ステップＳ２１５において、ステップＳ２０８で、受信部１１６がＩＤ情報と通信チャンネル情報が受信でき、且つ、受信した通信チャンネル情報が通信チャンネルと合致した場合、受信器マイクロコンピュータ１１４は、受信器設定記憶部１１５にＩＤ情報と通信チャンネル情報を登録し、ＩＤ情報登録可能モードからＩＤ情報登録不可モードに移行し、表示部１１７にＩＤ情報登録不可モードを表示する指示をし、表示部１１７はＩＤ情報登録不可モードであることを表示し、ステップＳ２１３に進む。」（６頁９欄〜８頁１３欄）
　
　引用例２の上記摘記事項及び技術常識を考慮すると、引用例２には、
　「情報処理装置本体にデータを無線送信する入力装置であって、
　データを無線送信するためのＩＤ情報を記憶する入力装置設定記憶部と、
　記憶部に記憶されるＩＤ情報を用いて、情報処理装置本体にデータを無線送信する送信部と、
　ＩＤ情報を送信する送信部と、
　ＩＤ送信ボタンが押下されているときに、送信部を制御してＩＤ情報を送信し、ＩＤ送信ボタンが押下されていないときに、情報処理装置本体にデータを無線送信するように制御する入力装置マイクロコンピュータとを備える入力装置。」
との発明（以下、「引用例２発明」という。）が開示されていると認めることができる。
　　　
４．対比
　本願発明と引用例１発明とを対比する。
　引用例１発明の「クライアント」「アクセス・ポイント」「ＥＳＳ−ＩＤ」「プローブ」は、本願発明の「無線ステーション」「無線アクセスポイント」「ＳＳＩＤ」「第２データ」にそれぞれ相当する。
　引用例１発明の「プローブ」は、クライアントからブロードキャスト、すなわち広告されるものであるから、引用例１発明の「プローブ受信手段」は、本願発明の「広告受信手段」に相当する。
　引用例１発明の「記憶手段」「送受信手段」は、無線アクセスポイントに有るわけであるから、本願発明の「アクセスポイント側記憶手段」「アクセスポイント側送受信手段」に相当する。
　引用例１発明の「該プローブ受信手段によりプローブが受信されると」と、本願発明の「該広告受信手段により第２データが受信されたことを条件として」との間に実質的な差異はない。
　引用例１発明の「ＥＳＳ−ＩＤを含む返信」は、本願発明の「ＳＳＩＤの内容を通知するための第３データ」に相当するので、引用例１発明の「返信手段」は、本願発明の「通知送信手段」に相当するといえる。
　そうすると、引用例１発明と、本願発明とは、「前記広告受信手段により第２通信手順で第２データが受信され、かつ、前記通知送信手段による第３データの送信が行われるように構成されている」点で共通している。
　　
　したがって、本願発明と引用例１発明とは、
「複数の無線ＬＡＮ規格のいずれかおよび複数のチャネルのうちいずれかが規定する第１通信手順および複数の無線ＬＡＮ規格のいずれかおよび複数のチャネルのうちいずれかが規定する第２通信手順それぞれによってデータを複数の無線ステーションへ無線送信し、かつ、無線受信する無線アクセスポイントであって、
　第１データを、前記第１通信手順で無線送信し、かつ、無線受信するためのＳＳＩＤを記憶するアクセスポイント側記憶手段と、
　前記アクセスポイント側記憶手段に記憶されるＳＳＩＤを用いて、前記複数の無線ステーションとの間で、第１データを第１通信手順で無線送信し、かつ、無線受信するアクセスポイント側送受信手段と、
　前記無線ステーションから送信される第２データを第２通信手順で受信する広告受信手段と、
　該広告受信手段により第２データが受信されたことを条件として、ＳＳＩＤの内容を通知するための第３データを、第２通信手順で送信する通知送信手段と、
を備え、
　前記広告受信手段により第２通信手順で第２データが受信され、かつ、前記通知送信手段による第３データの送信が行われるように構成されている無線アクセスポイント。」
の点で一致し、以下の点で相違している。
　　
［相違点１］
　本願発明の無線アクセスポイントは、
「前記アクセスポイント側送受信手段による第１データの無線送信および無線受信を実行するノーマルモードと、前記広告受信手段による第２データの受信および前記通知送信手段による第３データの送信を実行するサポートモードとのいずれかを選択するアクセスポイント側選択手段」を備えるに対して、引用例１発明は、そのような手段を備えるものではない点。
　
［相違点２］
　本願発明の無線アクセスポイントは、「該アクセスポイント側選択手段により選択されたモードがノーマルモードであれば、前記アクセスポイント側送受信手段を制御し、サポートモードであれば、前記広告受信手段および前記通知送信手段とを制御するアクセスポイント側制御手段」を備えるのに対して、引用例１発明は、そのような手段を備えるものではない点。
　
［相違点３］
　「前記広告受信手段により第２通信手順で第２データが受信され、かつ、前記通知送信手段による第３データの送信が行われる」のが、本願発明は、「該無線アクセスポイントのモードが前記サポートモードであることを条件として」いるのに対して、引用例１発明では、そのような条件は無い点。
　　
５．当審の判断
［相違点１〜３］について
　引用例２発明の「入力装置」「情報処理装置本体」「入力装置設定記憶部」「送信部」「入力装置マイクロコンピュータ」は、それぞれ、「第１の装置」「第２の装置」「記憶手段」「送信手段」「制御手段」と表現することができる。　
　引用例２発明の「ＩＤ送信ボタンが押されていない」状態は、第１の装置と第２の装置との間の通常のデータ通信を行う状態であるから、「ノーマルモード」と表現できる。
　引用例２発明の「ＩＤ送信ボタン」は、ユーザがＩＤ情報を登録するために設けられたものであるから、「ＩＤ送信ボタンが押された」状態は、「サポートモード」と表現できる。
　そうすると、ユーザは第１の装置のＩＤ送信ボタンを押すことにより「サポートモード」を選択することになるから、第１の装置は、「ノーマルモード」と「サポートモード」とのいずれかを選択する「選択手段」を備えるものといえる。また、第１の装置は、そのモードがサポートモードであることを条件として、送信手段によるＩＤ情報の送信が行われるように構成されているといえる。
　したがって、引用例２発明は、
「第２の装置にデータを無線送信する第１の装置であって、
　データを無線送信するためのＩＤ情報を記憶する記憶手段と、
　記憶手段に記憶されるＩＤ情報を用いて、第２の装置にデータを無線送信する送信手段と、
　送信手段によるデータの無線受信を実行するノーマルモードと、送信手段によるＩＤ情報の受信を実行するサポートモードのいずれかを選択する選択手段と、
　該選択手段により選択されたモードがノーマルモードであれば、通常のデータを送信し、
サポートモードであれば、ＩＤ情報を送信するように制御する制御手段と、
　第１の装置のモードがサポートモードであることを条件として、送信手段によるＩＤ情報の送信が行われるように構成されている第１の装置。」
と表現することができる。
　引用例１発明と引用例２発明とは、第１の装置と第２の装置とに共通のＩＤ情報を設定することにより、第１の装置と第２の装置との間で無線によるデータ通信を行う通信システムである点で、技術思想を共通とするものである。
　そして、引用例１発明は、ＩＤ情報であるＳＳＩＤの設定をユーザが行うことを前提としており、引用例２発明は、ユーザによるＩＤ情報の設定を容易にすることを目的とするものであるから、引用例２発明を引用例１発明に適用することに困難性はない。
　また、引用例１発明において、通知送信手段は、広告受信手段により第２データが受信されたことを条件としてＳＳＩＤの内容を通知するための第３データを送信するものであり、広告受信手段と通知送信手段は、ＳＳＩＤの内容を通知するために協働するものであるから、引用例２発明を引用例１発明に適用した場合に、広告受信手段と通知送信手段とは、サポートモードで動作を実行することになるのは当然である。
　したがって、引用例１発明において、相違点１〜３に係る構成を採用することは、当業者が容易に想到し得たものである。
　　
　そして、本願発明の作用効果も、引用例１発明及び引用例２発明から当業者が予測できる範囲のものである。
　　　
６．むすび
　以上のとおり、本願発明は、引用例１発明及び引用例２発明に基づいて、当業者が容易に発明をすることができたものであるから、特許法第２９条第２項の規定により特許を受けることができない。
　よって、結論のとおり審決する。